(57)【要約】【課題】  ユーザに安価で容易に短名なドメイン名を提供することが可能となるドメイン名提供サービス方法を提供する。【解決手段】  ドメイン名管理者１０により、同一トップドメイン「．○○」を有するドメイン名を管理するＤＮＳサーバ１１及び該ドメイン名によりアクセスされるＷｅｂページを管理するＷｅｂサーバ１２を構築・管理する。中間ドメイン取得者２０が所望するセカンドレベルドメイン「．△△」の使用権を該中間ドメイン取得者２０に課金して提供し、ユーザ３０が所望するサードレベルドメイン「×××」の使用権、つまりドメイン名「×××．△△．○○」を該ユーザ３０に提供する。そして、ユーザ３０の使用領域と中間ドメイン取得者２０の使用領域とを有し、ドメイン名「×××．△△．○○」に対応したＷｅｂページ５０を、Ｗｅｂサーバ１２上に生成する。【選択図】      図１
2006148576.tif 000002
【特許請求の範囲】
【請求項１】
ユーザに所望のドメイン名を提供するためのドメイン名提供サービス方法において、
ドメイン名管理者により、同一トップドメインを有するドメイン名を管理するＤＮＳサーバ及び該ドメイン名によりアクセスされるＷｅｂページを管理するＷｅｂサーバを構築・管理し、
前記ＤＮＳサーバの記録手段に未登録のセカンドレベルドメインのうち、中間ドメイン取得者が所望するセカンドレベルドメインの使用権を該中間ドメイン取得者に課金して提供し、
前記ＤＮＳサーバの記録手段に未登録のサードレベルドメインのうち、ユーザが所望するサードレベルドメインの使用権を提供することで、前記トップレベルドメイン、前記セカンドレベルドメイン、及び前記サードレベルドメインにより構成されるドメイン名を該ユーザに提供し、
前記ドメイン名管理者により、前記ユーザの使用領域と前記中間ドメイン取得者の使用領域とを有し、前記ドメイン名に対応したＷｅｂページを前記Ｗｅｂサーバ上に生成する、
ことを特徴とするドメイン名提供サービス方法。
【請求項２】
前記Ｗｅｂページは、携帯電話機用Ｗｅｂページからなる、
ことを特徴とする請求項１記載のドメイン名提供サービス方法。
【請求項３】
前記ドメイン名管理者により、前記トップレベルドメイン及び前記セカンドレベルドメインにより構成されるドメイン名で管理されるＭａｉｌサーバを構築・管理し、
前記ユーザに、前記サードレベルドメインをアカウントに割当てたメールアドレスを提供する、
ことを特徴とする請求項１または２記載のドメイン名提供サービス方法。
【請求項４】
前記ユーザがあらかじめ所有するメールアドレスを前記Ｍａｉｌサーバの記録手段に登録し、
前記Ｍａｉｌサーバの転送手段により、前記サードレベルドメインをアカウントとしたメールアドレスに送信されてきた電子メールを前記あらかじめユーザが所有するメールアドレスに転送する、
ことを特徴とする請求項３記載のドメイン名提供サービス方法。
【請求項５】
前記ドメイン名は、ｃｃＴＬＤのドメイン名からなり、
前記セカンドレベルドメインは、２文字により構成される、
ことを特徴とする請求項１ないし４のいずれか記載のドメイン名提供サービス方法。
【請求項６】
同一トップドメインを有する複数のドメイン名を管理するＤＮＳサーバと、前記ドメイン名毎にアクセスされる複数のＷｅｂページを管理するＷｅｂサーバとを備えたサーバシステムにおいて、
前記Ｗｅｂサーバに、
セカンドレベルドメインの使用権が割当てられた中間ドメイン取得者の端末機器より送信されるデータを受信入力する手段と、
サードレベルドメインの使用権が割当てられ、前記トップレベルドメイン、前記セカンドレベルドメイン、及び前記サードレベルドメインから構成されるドメイン名が割当てられたユーザの端末機器より送信されるデータを受信入力する手段と、
前記ユーザに割当てられたドメイン名でアクセスされるＷｅｂページのユーザの使用領域に、前記ユーザの端末機器より送信されたデータに基づくページデータを生成する手段と、
前記ドメイン名毎にアクセスされる複数のＷｅｂページのうち、同一セカンドレベルドメインを有するドメイン名によりアクセスされる複数のＷｅｂページにおける中間ドメイン取得者の使用領域に、前記中間ドメイン取得者の端末機器より送信されたデータに基づくページデータを生成する手段と、を備えた、
ことを特徴とするサーバシステム。
【発明の詳細な説明】
【技術分野】
【０００１】
本発明は、ユーザに所望のドメイン名を提供するためのドメイン名提供サービス方法、ドメイン名を管理するＤＮＳサーバとＷｅｂページを管理するＷｅｂサーバとを備えたサーバシステムに関する。
【背景技術】
【０００２】
近年、ＩＴ技術の飛躍的な進歩に伴い、インターネットの利用が広く普及している。このようなインターネットの普及により、企業のみならず、個人ユーザにおいてもＷｅｂページを開設することが一般的になっており、それらＷｅｂページのＵＲＬとしても活用されるドメイン名の取得が頻繁に行われている。
【０００３】
このドメイン名の取得に際しては、国ごとに割当てられるｃｃＴＬＤ（ｃｏｕｎｔｒｙ  ｃｏｄｅ  Ｔｏｐ  Ｌｅｖｅｌ  Ｄｏｍａｉｎ）と、国とは無関係に割当てられるｇＴＬＤ（ｇｅｎｅｒｉｃ  Ｔｏｐ  Ｌｅｖｅｌ  Ｄｏｍａｉｎ）とのどちらかを選択して、それらドメインを管理する組織（いわゆるレジストリなど）に申請し、申請したドメイン名と同じものが無ければ取得可能となる。
【０００４】
なお、本出願人は、出願時において、上述のようなドメイン名を取得するやり方について体系的に記した技術文献を知らないため、開示すべき先行技術文献情報はない。
【発明の開示】
【発明が解決しようとする課題】
【０００５】
しかしながら、上述したようなドメイン名の取得に際しては、複雑な手続きが必要であると共に、ＤＮＳサーバを構築する必要もあり、更にドメイン名の申請料や維持料なども課金されるため、個人が容易にドメイン名を取得し得るものではない。また、それらの申請手続きの代行やＤＮＳサーバを構築してレンタルすること等により、ドメイン名の取得を容易にするサービスもあるが、結果的にコストが増大してしまうという問題がある。
【０００６】
一方、上述したように申請したドメイン名は、同じものがあると取得できないが、例えばｃｃＴＬＤにおいては「．ｃｏ．ｊｐ」や「．ｎｅ．ｊｐ」、ｇＴＬＤにおいては「．ｃｏｍ」などのトップレベルドメイン若しくはセカンドレベルドメインが限られたものに決められており、自由に申請可能なドメイン部分において既に文字数の少ないドメイン名（以下、「短名なドメイン名」という）を取得されている等に起因して、比較的文字数の多いドメイン名、つまり長舌なドメイン名となってしまい、記憶し易いドメイン名を取得したいという本来の目的から逸脱してしまうという問題がある。
【０００７】
そこで本発明は、ユーザに安価で容易に短名なドメイン名を提供することが可能となると共に、中間ドメイン取得者が広告媒体としてドメイン名の提供を行うことを可能とし、もって上記課題を解決することが可能なドメイン名提供サービス方法、及びサーバシステムを提供することを目的とするものである。
【課題を解決するための手段】
【０００８】
請求項１に係る本発明は、ユーザ（３０）に所望のドメイン名を提供するためのドメイン名提供サービス方法において、
ドメイン名管理者（１０）により、同一トップドメイン（例えば．○○）を有するドメイン名を管理するＤＮＳサーバ（１１）及び該ドメイン名によりアクセスされるＷｅｂページを管理するＷｅｂサーバ（１２）を構築・管理し、
前記ＤＮＳサーバ（１１）の記録手段に未登録のセカンドレベルドメインのうち、中間ドメイン取得者（２０）が所望するセカンドレベルドメイン（例えば．△△）の使用権を該中間ドメイン取得者（２０）に課金して提供し、
前記ＤＮＳサーバ（１１）の記録手段に未登録のサードレベルドメインのうち、ユーザ（３０）が所望するサードレベルドメイン（例えば×××）の使用権を提供することで、前記トップレベルドメイン（例えば．○○）、前記セカンドレベルドメイン（例えば．△△）、及び前記サードレベルドメイン（例えば×××）により構成されるドメイン名（例えば×××．△△．○○）を該ユーザ（３０）に提供し、
前記ドメイン名管理者（１０）により、前記ユーザ（３０）の使用領域（５２，５３，５４）と前記中間ドメイン取得者（２０）の使用領域（５１，５５）とを有し、前記ドメイン名（例えば×××．△△．○○）に対応したＷｅｂページ（５０）を前記Ｗｅｂサーバ（１２）上に生成する、
ことを特徴とするドメイン名提供サービス方法にある。
【０００９】
請求項２に係る本発明は、前記Ｗｅｂページ（５０）は、携帯電話機用Ｗｅｂページからなる、
ことを特徴とする請求項１記載のドメイン名提供サービス方法にある。
【００１０】
請求項３に係る本発明は、前記ドメイン名管理者（１０）により、前記トップレベルドメイン（例えば．○○）及び前記セカンドレベルドメイン（例えば．△△）により構成されるドメイン名（例えば△△．○○）で管理されるＭａｉｌサーバ（１３）を構築・管理し、
前記ユーザ（３０）に、前記サードレベルドメイン（例えば×××）をアカウントに割当てたメールアドレス（例えば×××＠△△．○○）を提供する、
ことを特徴とする請求項１または２記載のドメイン名提供サービス方法にある。
【００１１】
請求項４に係る本発明は、前記ユーザ（３０）があらかじめ所有するメールアドレス（例えば●●●＠▲▲．▼▼．ｊｐ）を前記Ｍａｉｌサーバ（１３）の記録手段（１５）に登録し、
前記Ｍａｉｌサーバ（１３）の転送手段（１４）により、前記サードレベルドメイン（例えば×××）をアカウントとしたメールアドレス（例えば×××＠△△．○○）に送信されてきた電子メールを前記あらかじめユーザが所有するメールアドレス（例えば●●●＠▲▲．▼▼．ｊｐ）に転送する、
ことを特徴とする請求項３記載のドメイン名提供サービス方法にある。
【００１２】
請求項５に係る本発明は、前記ドメイン名（例えば×××．△△．○○）は、ｃｃＴＬＤのドメイン名からなり、
前記セカンドレベルドメイン（例えば．△△）は、２文字により構成される、
ことを特徴とする請求項１ないし４のいずれか記載のドメイン名提供サービス方法にある。
【００１３】
請求項６に係る本発明は、同一トップドメイン（例えば．○○）を有する複数のドメイン名を管理するＤＮＳサーバ（１１）と、前記ドメイン名毎にアクセスされる複数のＷｅｂページを管理するＷｅｂサーバ（１２）とを備えたサーバシステムにおいて、
前記Ｗｅｂサーバ（１２）に、
セカンドレベルドメイン（例えば．△△）の使用権が割当てられた中間ドメイン取得者（２０）の端末機器（２１）より送信されるデータを受信入力する手段と、
サードレベルドメイン（例えば×××）の使用権が割当てられ、前記トップレベルドメイン（例えば．○○）、前記セカンドレベルドメイン（例えば．△△）、及び前記サードレベルドメイン（例えば×××）から構成されるドメイン名（例えば×××．△△．○○）が割当てられたユーザ（３０）の端末機器（３１）より送信されるデータを受信入力する手段と、
前記ユーザ（３０）に割当てられたドメイン名（例えば×××．△△．○○）でアクセスされるＷｅｂページ（５０）のユーザの使用領域（５２，５３，５４）に、前記ユーザ（３０）の端末機器（３１）より送信されたデータに基づくページデータを生成する手段と、
前記ドメイン名毎にアクセスされる複数のＷｅｂページのうち、同一セカンドレベルドメイン（例えば．△△）を有するドメイン名によりアクセスされる複数のＷｅｂページ（５０も含む）における中間ドメイン取得者（２０）の使用領域（５１，５５）に、前記中間ドメイン取得者（２０）の端末機器（２１）より送信されたデータに基づくページデータを生成する手段と、を備えた、
ことを特徴とするサーバシステムにある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、例えばユーザがドメイン名取得の申請手続きを行ったり、ＤＮＳサーバの構築を行ったりするような作業を不要とし、ユーザに容易で短名なドメイン名を提供することができるものでありながら、ドメイン名管理者が中間ドメイン取得者に課金してセカンドレベルドメインの使用権を提供すると共に中間ドメイン取得者がユーザのＷｅｂページの一部にスペースを得る対価として格安又は無償でユーザにサードレベルドメインの使用権を提供するので、ユーザに安価にドメイン名を提供することができる。また、中間ドメイン取得者は、ユーザが使用可能な領域を有するＷｅｂページにおいて、使用可能な領域を得ることができるので、例えば商品情報、キャンペーン情報、特典情報などの広告や、商品予約、商品購入、問い合わせ、購入情報のトラッキングなどを行うためのページへのリンク等をＷｅｂページ上に表示することができる。
【００１６】
請求項２に係る本発明によると、Ｗｅｂページは、携帯電話機用Ｗｅｂページからなるので、ユーザが携帯電話機によりＷｅｂページを利用することを可能とすることができる。
【００１７】
請求項３に係る本発明によると、ドメイン名管理者により、トップレベルドメイン及びセカンドレベルドメインにより構成されるドメイン名で管理されるＭａｉｌサーバを構築・管理し、ユーザにサードレベルドメインをアカウントに割当てたメールアドレスを提供するので、ユーザに短名なメールアドレスを提供することができる。また、特に特有の文字や画像フォーマットを含む電子メールを送受信する場合であっても、上記Ｍａｉｌサーバに、メール転送時にそれら特有の文字や画像フォーマットを変換することで、支障なく送受信することが可能となる。
【００１８】
請求項４に係る本発明によると、ユーザはあらかじめ所有するメールアドレスをＭａｉｌサーバの記録手段に登録し、Ｍａｉｌサーバの転送手段によりサードレベルドメインをアカウントとしたメールアドレスに送信されてきた電子メールをあらかじめユーザが所有するメールアドレスに転送するので、ユーザは電子メールの送受信に用いる機器に対して新たに設定を行うことなく、サードレベルドメインをアカウントとしたメールアドレスを使用することができる。また、特にユーザが携帯電話機を電子メールの送受信に用いる場合であっても、支障なくサードレベルドメインをアカウントとしたメールアドレスを使用することができる。更に、例えばユーザが上記あらかじめ所有するメールアドレスを変更したとしても、Ｍａｉｌサーバの記録手段に登録し直すだけで、サードレベルドメインをアカウントとしたメールアドレスを使用することができる。
【００１９】
請求項５に係る本発明によると、ドメイン名はｃｃＴＬＤのドメイン名からなり、セカンドレベルドメインは２文字により構成されるので、ユーザに提供するドメイン名を短名なドメイン名にすることができる。
【００２０】
請求項６に係る本発明によると、ユーザは、提供されたドメイン名によりアクセスされるＷｅｂページにおけるユーザの使用領域にユーザが所望するページデータを生成することができると共に、中間ドメイン取得者は、同一セカンドレベルドメインを有するドメイン名によりアクセスされる複数のＷｅｂページにおける中間ドメイン取得者の使用領域に該中間ドメイン取得者が所望するページデータを生成することができる。つまり、これにより、中間ドメイン取得者は、ユーザが使用可能な領域を有するＷｅｂページにおいて、使用可能な領域を得ることができるので、例えば商品情報、キャンペーン情報、特典情報などの広告や、商品予約、商品購入、問い合わせ、購入情報のトラッキングなどを行うためのページへのリンク等をＷｅｂページ上に表示することができる。
【発明を実施するための最良の形態】
【００２１】
以下、本発明に係る実施の形態を図に沿って説明する。図１は本発明に係るドメイン名提供サービス方法を説明する概要説明図、図２は本発明に係る携帯電話機用Ｗｅｂページの一例を示す図である。
【００２２】
図１に示すように、ドメイン名管理者としてのＡ社１０と、例えばコンピュータ２１をインターネット接続用の端末機器として有している中間ドメイン取得者としてのＢ社２０と、例えば携帯電話機３１をインターネット接続用の端末機器として有しているユーザ３０とが存在している。なお、図１においては、一人のユーザにおけるドメイン名管理者及び中間ドメイン取得者との関係を示したものであって、勿論、１つのドメイン名管理者に対して、複数の中間ドメイン取得者及び多数のユーザとの関係が成り立つものである。
【００２３】
Ａ社１０は、図示を省略したインターネットに接続されるＤＮＳサーバ１１、Ｗｅｂサーバ１２、Ｍａｉｌサーバ１３を構築・管理して有している。また、Ｍａｉｌサーバ１３内には、詳しくは後述するメール転送手段１４とアドレスデータベース１５とが備えられて構成されている。
【００２４】
上記ＤＮＳサーバ１１には、セカンドレベルドメイン及びサードレベルドメインを登録・管理する記録手段と、それらセカンドレベルドメイン及びサードレベルドメインの取得の依頼があった際に、その依頼のあったドメインが未登録か（使用可能か）否かを判定する手段と、そのドメインが使用可能な場合に新たなドメイン名として登録する手段とを備えている。
【００２５】
また、Ｗｅｂサーバ１２には、上記ＤＮＳサーバ１１に新たにドメイン名が登録されたされた際に、該ドメイン名に対応した、つまり該ドメイン名でアクセスし得るＷｅｂページ（いわゆるホームページ）を生成する手段と、ユーザ３０の携帯電話機３１より送信されるデータを受信入力する手段と、中間ドメイン取得者２０のコンピュータ２１より送信されるデータを受信入力する手段と、詳しくは後述するＷｅｂページ５０のユーザ３０の使用領域５２，５３，５４に、携帯電話機３１より送信されたデータに基づいてページデータを生成する手段と、詳しくは後述する同一セカンドレベルドメイン（例えば．△△）を有するドメイン名によりアクセスされるＷｅｂページ（５０も含む）における中間ドメイン取得者２０の使用領域５１，５５に、コンピュータ２１より送信されたデータに基づいてページデータを生成する手段とを備えている。
【００２６】
更に、Ｍａｉｌサーバ１３には、上記ＤＮＳサーバ１１に新たにドメイン名が登録されたされた際に、詳しくは後述するように、サードレベルドメインをアカウントに、かつセカンドレベルドメイン及びトップレベルドメインをドメイン名としたメールアドレスを自動的に生成する手段と、その生成したメールアドレスとユーザ３０があらかじめ所有するメールアドレスとを対応付けて上記アドレスデータベース１５に格納する手段とを備えている。
【００２７】
つづいて、本発明に係るドメイン名提供サービス方法について説明する。まず、Ａ社１０は、例えばインターネットの利用があまり発展していない国などにおけるトップレベルドメインを管理する組織（いわゆるレジストリ）と提携し、ｃｃＴＬＤとしての当該国のトップレベルドメイン「．○○」の使用権を取得する。
【００２８】
そして、そのトップレベルドメイン「．○○」、つまり同一トップドメイン「．○○」を有するドメイン名を登録・管理するためのＤＮＳサーバ１１と、登録されたドメイン名によりアクセスされるＷｅｂページを管理するＷｅｂサーバ１２とを構築する。
【００２９】
次に、Ｂ社２０より例えばセカンドレベルドメイン「．△△」の使用権の要望があった際、Ａ社１０は、例えばＤＮＳサーバ１１内を検索するなどして、Ｂ社２０が所望するセカンドレベルドメイン「．△△」と上記トップレベルドメイン「．○○」との組合せ（つまり「．△△．○○」）が既に使用されているか（未登録であるか）否かを判定し、使用されていない場合は、そのセカンドレベルドメイン「．△△」の使用権に課金してＢ社に提供する。これにより、Ｂ社は、所望するセカンドレベルドメイン「．△△」の使用権を取得し、つまりトップレベルドメイン及びセカンドレベルドメインの組合せ「．△△．○○」において、どのようなサードレベルドメインを提供しても良い状態となる。
【００３０】
またこの際、トップレベルドメイン及びセカンドレベルドメインから構成されるドメイン名「△△．○○」で管理される（つまりドメイン名「△△．○○」でアクセスされる）Ｍａｉｌサーバ１３を構築する。
【００３１】
なお、Ａ社１０によるＢ社２０へのセカンドレベルドメインの使用権の課金方法は、例えばセカンドレベルドメインを１つの単位として一括で課金してもよく、また、後述するサードレベルドメインを取得したユーザ数に対して課金してもよく、更に、詳しくは後述する広告データのデータ量等に課金してもよく、つまりセカンドレベルドメインの使用権に対してどのような方法で課金しても構わない。
【００３２】
ついで、ユーザ３０よりサードレベルドメイン「×××」の使用権の要望があった際、Ｂ社２０（或いはＡ社１０）は、例えばＤＮＳサーバ１１の記録手段を検索するなどして、トップレベルドメイン及びセカンドレベルドメインの組合せ「．△△．○○」において、該ユーザ３０が所望するサードレベルドメイン「×××」が既に使用されているか（未登録であるか）否かを判定し、使用されていない場合は、そのサードレベルドメイン「×××」の使用権を無償或いは格安で該ユーザ３０に提供する。これにより、ユーザ３０は、所望するサードレベルドメイン「×××」の使用権を取得し、つまりユーザ３０は所望するドメイン名「×××．△△．○○」を取得する。
【００３３】
また、ユーザ３０によるサードレベルドメイン「．×××」の使用権の要望の依頼は、例えば携帯電話機３１からＢ社のＷｅｂページにアクセスして所定のフォームから「×××」のテキストデータを送信することや、電子メールによってサードレベルドメイン「．×××」の使用権の要望すること等によって行うことができる。このように、ユーザ３０は、特に複雑なドメイン取得の申請を行うことなく、所望するドメイン名「×××．△△．○○」を容易に取得することができる。
【００３４】
なお、このサードレベルドメイン「×××」の使用権の要望を依頼する際、ユーザ３０は、携帯電話機３１で既に所有している携帯電話用の電子メールアドレス（以下、「オリジナルメールアドレス」という）を送信しておく。
【００３５】
つづいて、Ｗｅｂページの生成・利用について説明する。上述のように、ユーザ３０が所望のドメイン名「×××．△△．○○」を取得すると、Ａ社１０におけるＤＮＳサーバ１１内にドメイン名「×××．△△．○○」とそのドメイン名に対応するＩＰアドレスが登録されると共に、Ｗｅｂサーバ１２内に当該ＩＰアドレスを有する（つまりドメイン名「×××．△△．○○」でアクセス可能な）携帯電話機用のＷｅｂページ５０が生成される。なお、Ｗｅｂページ５０が生成されると、例えばそのＷｅｂページ５０を管理するための管理者用ＩＤやパスワード等が、上記オリジナルメールアドレス宛の電子メール等によって通知される。
【００３６】
このＷｅｂページ５０は、図２に示すように、社名スペース５１、ページ名スペース５２、画像スペース５３、フォルダリンク用スペース５４、広告スペース５５などにより構成されて生成される。このうち、ページ名スペース５２、画像スペース５３、及びリンク用スペース５４は、ユーザ３０により自由に内容を生成できる部分である。一方、社名スペース５１及び広告スペース５５は、Ｂ社により自由に内容を生成できる部分となる。
【００３７】
上述のようにＷｅｂページ５０の各スペースが生成された後において、ユーザ３０は、携帯電話機３１及びインターネットを介してＷｅｂサーバ１２にアクセスし、例えば管理者用ＩＤやパスワードを入力してＷｅｂページ作成画面（不図示）を立ち上げることで、ページ名スペース５２に所望のテキストデータを貼り付けたり、画像スペース５３に所望の画像を貼り付けたり、所望のフォルダ等を生成してリンク用スペース５４にそれらフォルダのリンクを貼り付けたりすることが可能となる。
【００３８】
例えば図２に示すＷｅｂページ５０にあっては、「×××の部屋」というテキストデータをページ名スペース５２に貼り付け、顔写真の画像を画像スペース５３に貼り付け、更にリンク用スペース５４に「プロフィール」や「日記」のフォルダへのリンク、「掲示板」へのリンク、「メール」へのリンク、・・・を貼り付けたものである。なお、これらフォルダや各種リンクされたページは、どのように生成してもよいものであって、本発明の要部ではないので、その詳細説明は省略する。
【００３９】
一方、Ｂ社２０は、不図示のコンピュータ等を使用して広告データ（社名データも含む）をＷｅｂサーバ１２に送信し、上述のＷｅｂページ５０内の社名スペース５１に社名を、また、広告スペース５５に広告や各種リンク等を貼り付ける。例えば図２に示すＷｅｂページ５０にあっては、「Ｂ社」という社名を社名スペース５１に貼り付け、新商品の画像、商品情報の文字、及びＢ社のＷｅｂページへのリンクを広告スペース５５に貼り付けたものである。
【００４０】
以上のようにＷｅｂサーバ１２は、ユーザ３０に割当てられたドメイン名「×××．△△．○○」でアクセスされるＷｅｂページ５０のユーザの使用領域５２，５３，５４に、携帯電話機３１より送信されたデータに基づくページデータを生成すると共に、同一セカンドレベルドメイン「．△△」を有するドメイン名によりアクセスされる複数のＷｅｂページ（５０も含む）におけるＢ社２０の使用領域５１，５５に、コンピュータ２１より送信されたデータに基づくページデータを生成することになる。
【００４１】
このように、Ｂ社２０は、セカンドレベルドメイン「．△△」の使用権を有償で得た対価として、社名、商品情報、キャンペーン情報、特典情報などの広告や、商品予約、商品購入、問い合わせ、購入情報のトラッキングなどを行うためのページへのリンクをＷｅｂページ５０上に表示することができる。また、このようにドメイン名の使用権の対価をＢ社２０が担うので、ユーザ３０は、所望のドメイン名「×××．△△．○○」を無償或いは格安で取得することができる。
【００４２】
つづいて、上記ドメイン名「×××．△△．○○」に対応するメールアドレスの取得・利用について説明する。上述のように、ユーザ３０がドメイン名「×××．△△．○○」を取得すると、ドメイン名「△△．○○」で管理されるＭａｉｌサーバ１３において、サードレベルドメインをアカウントに変換してメールアドレスを生成し、つまりアカウント「×××」のメールアドレス「×××＠△△．○○」がアドレスデータベース１５に生成・登録されて、そのメールアドレス「×××＠△△．○○」がユーザ３０に提供される。
【００４３】
また、上述のようにユーザ３０が、サードレベルドメイン「×××」の使用権の要望を依頼する際に、携帯電話機３１で既に所有している携帯電話用のオリジナルメールアドレス「●●●＠▲▲．▼▼．ｊｐ」が送信されているので、該オリジナルメールアドレス「●●●＠▲▲．▼▼．ｊｐ」と新たに生成したメールアドレス「×××＠△△．○○」とを対応付けて上記アドレスデータベース１５に登録しておく。
【００４４】
そして、図１に示すように、例えばインターネットを介して外部よりメールアドレス「×××＠△△．○○」宛に電子メールが送信されてくると、Ｍａｉｌサーバ１３のメール転送手段１４は、当該メールアドレス「×××＠△△．○○」宛の電子メールをオリジナルメールアドレス「●●●＠▲▲．▼▼．ｊｐ」宛の電子メールに変換し、つまり電子メールを携帯電話機３１にインターネットを介して転送する。
【００４５】
このように、メールアドレス「×××＠△△．○○」宛の電子メールが携帯電話機３１に自動的に送信されてくるので、ユーザ３０は、ドメイン名「×××．△△．○○」と酷似した短名なメールアドレス「×××＠△△．○○」を取得することができると共に、何ら特別な操作を行うことなく、そのメールアドレス「×××＠△△．○○」を使用することができる。
【００４６】
ところで一般に、携帯電話会社の異なる携帯電話機同士のメール送受信においては、例えば顔文字や絵文字などの特有の文字を電子メールとして送受信しても、携帯電話機内に対応した文字コードを備えてないため、正常な形で電子メールの送受信を行うことができない。また、同様に画像データを電子メールに添付して送受信しても、画像フォーマットが異なる場合は、正常な形で電子メールの送受信を行うことができない。
【００４７】
しかしながら、オリジナルメールアドレス「●●●＠▲▲．▼▼．ｊｐ」に基づきユーザ３０の携帯電話機３１の携帯電話会社をあらかじめ判別しておき、Ｍａｉｌサーバ１３のメール転送手段１４に、上述の特有の文字に対応した文字コードや画像フォーマットを変換する手段を備えておくことで、メールアドレス「×××＠△△．○○」宛の電子メールをオリジナルメールアドレス「●●●＠▲▲．▼▼．ｊｐ」宛の電子メールに変換する際に、例えば上記特有な文字や画像データが含まれていても、ユーザ３０の携帯電話機３１に対応した特有の文字や画像フォーマットに変換することができ、いわゆる文字化けしない正常な電子メールとして転送することができる。
【００４８】
また、例えばユーザ３０が携帯電話機を買い換える等して、オリジナルメールアドレスを変更したとしても、メールアドレス「×××＠△△．○○」を使用していれば、変更したオリジナルメールアドレスをアドレスデータベース１５に登録し直すだけで、特に新しく変更したオリジナルメールアドレスを他者に知らせる作業をすることなく、変更前と同様に電子メールの送受信を行うことができる。
【００４９】
なお、上述の特有の文字の変換において、同じ携帯電話会社であっても携帯電話機の機種ごとによって特有な文字がある場合には、機種ごとに対応して変換することが考えられる。また、上述のような顔文字や絵文字などの特有の文字だけでなく、送信されてきた電子メールに添付ファイルが添付されている場合に、携帯電話会社ないし携帯電話機の機種に応じて、添付ファイルの形式を対応する形式に変換したり、当該添付ファイルの内容を貼り付けたＷｅｂページを生成して当該ＷｅｂページのＵＲＬを電子メールと共に転送したりすることも考えられる。
【００５０】
更に、上記Ｍａｉｌサーバ１３のメール転送手段１４に、スパムメールをフィルタリングする手段を備えておいてもよく、それにより、ユーザ３０の携帯電話機３１にスパムメールが送信されることを防止することが可能になる。このスパムメールのフィルタリングにおいては、（１）ユーザにより指定したメールアドレスやドメインを有する電子メールだけを転送し、つまりユーザが指定したメールアドレスやドメインの電子メールを受信するメールアドレス指定受信やドメイン指定受信、（２）ユーザにより指定したメールアドレスやドメインを有する電子メールだけ転送せず、つまりユーザが指定したメールアドレスやドメインの電子メールの受信を拒否するメールアドレス指定受信拒否やドメイン指定受信拒否、（３）連続的に送信されてくるメールを上記Ｍａｉｌサーバ１３が受信しない連続メール送信拒否、などが考えられる。
【００５１】
なお、以上のドメイン名やメールアドレスの説明で用いた記号「○」「△」「×」「●」「▲」「▼」は、説明の便宜上用いたものであって、任意の文字を示すものであり、これらの記号により、本発明の権利範囲を限定するものではない。
【００５２】
以上説明したように、本発明によると、例えばユーザ３０がドメイン名取得の申請手続きを行ったり、ＤＮＳサーバの構築を行ったりするような作業を不要とし、ユーザ３０に容易で短名なドメイン名を提供することができるものでありながら、ドメイン名管理者１０が中間ドメイン取得者２０に課金してセカンドレベルドメインの使用権を提供すると共に中間ドメイン取得者２０がユーザのＷｅｂページ５０の一部にスペースを得る対価として格安又は無償でユーザ３０にサードレベルドメインの使用権を提供するので、ユーザ３０に安価にドメイン名を提供することができる。
【００５３】
また、中間ドメイン取得者２０は、ユーザ３０が使用可能な領域を有するＷｅｂページ５０において、使用可能な領域（即ち５１，５５）を得ることができるので、例えば商品情報、キャンペーン情報、特典情報などの広告や、商品予約、商品購入、問い合わせ、購入情報のトラッキングなどを行うためのページへのリンクをＷｅｂページ５０上に表示することができる。
【００５４】
更に、Ｗｅｂページ５０は、携帯電話機用Ｗｅｂページからなるので、ユーザ３０が携帯電話機３１によりＷｅｂページ５０を利用することを可能とすることができる。
【００５５】
また、ドメイン名管理者１０により、トップレベルドメイン及びセカンドレベルドメインにより構成されるドメイン名で管理されるＭａｉｌサーバ１３を構築・管理し、ユーザ３０にサードレベルドメインをアカウントに割当てたメールアドレスを提供するので、ユーザ３０に短名なメールアドレスを提供することができる。また、特に特有の文字や画像フォーマットを含む電子メールを送受信する場合であっても、上記Ｍａｉｌサーバ１３に、メール転送時にそれら特有の文字や画像フォーマットを変換することで、支障なく送受信することが可能となる。
【００５６】
更に、ユーザ３０はあらかじめ所有するメールアドレスをＭａｉｌサーバ１３のアドレスデータベース１５に登録し、Ｍａｉｌサーバ１３のメール転送手段１４によりサードレベルドメインをアカウントとしたメールアドレスに送信されてきた電子メールを、あらかじめユーザが所有するオリジナルメールアドレスに転送するので、ユーザ３０は電子メールの送受信に用いる機器に対して新たに設定を行うことなく、サードレベルドメインをアカウントとしたメールアドレスを使用することができる。また、特にユーザ３０が携帯電話機３１を電子メールの送受信に用いる場合であっても、支障なくサードレベルドメインをアカウントとしたメールアドレスを使用することができる。更に、例えばユーザ３０がオリジナルメールアドレスを変更したとしても、Ｍａｉｌサーバ１３のアドレスデータベース１５に登録し直すだけで、サードレベルドメインをアカウントとしたメールアドレスを使用することができる。
【００５７】
また、ドメイン名はｃｃＴＬＤのドメイン名であって、セカンドレベルドメインは２文字により構成されるので、ユーザ３０に提供するドメイン名を短名なドメイン名にすることができる。
【００５８】
更に、図１に示すようなサーバシステムにおいて、ユーザ３０は、提供されたドメイン名によりアクセスされるＷｅｂページ５０におけるユーザの使用領域５２，５３，５４にユーザが所望するページデータを生成することができると共に、中間ドメイン取得者２０は、同一セカンドレベルドメインを有するドメイン名によりアクセスされる複数のＷｅｂページ（５０も含む）における中間ドメイン取得者２０の使用領域５１，５５に該中間ドメイン取得者２０が所望するページデータを生成することができる。
【図面の簡単な説明】
【００５９】
【図１】本発明に係るドメイン名提供サービス方法を説明する概要説明図。
【図２】本発明に係る携帯電話機用Ｗｅｂページの一例を示す図。
【符号の説明】
【００６０】
１０    ドメイン名管理者（Ａ社）
１１    ＤＮＳサーバ
１２    Ｗｅｂサーバ
１３    Ｍａｉｌサーバ
１４    転送手段（メール転送手段）
１５    Ｍａｉｌサーバの記録手段（アドレスデータベース）
２０    中間ドメイン取得者（Ｂ社）
２１    中間ドメイン取得者の端末機器（コンピュータ）
３０    ユーザ
３１    ユーザの端末機器、携帯電話機
５０    Ｗｅｂページ
５１    中間ドメイン取得者の使用領域（社名スペース）
５２    ユーザの使用領域（ページ名スペース）
５３    ユーザの使用領域（画像スペース）
５４    ユーザの使用領域（リンク用スペース）
５５    中間ドメイン取得者の使用領域（広告スペース）
【図１】
2006148576.tif 000003
【図２】
2006148576.tif 000004